(57)【要約】【課題】ウェブサイトからユーザーが興味を有する芸能人やアーティストに関する情報を取得して送信し、必要に応じてアラートを送信する芸能関連情報提供システムを提供する。【解決手段】ユーザーにリクエスト情報を登録させる登録手段５と、ユーザーのリクエスト情報を含むユーザー情報データベース１５と、ウェブサイトの画面データを収集するアグリゲーション手段９と、画面データからテキストデータを取り出すスクリーンスクレーパー１０と、アグリゲーション手段９に画面データを収集させ、スクリーンスクレーパー１０にテキストデータを取り出させ、前記テキストデータの単語と一致する単語をリクエスト情報に含むユーザーをユーザー情報データベース１５から検索し、当該ユーザーに芸能関連コンテンツを送信させるセンターサーバー制御手段４と、を備えた。【選択図】  図１
2004326231.tif 000002
【特許請求の範囲】
【請求項１】
ユーザーにリクエスト情報を登録させる登録手段と、
ユーザーのリクエスト情報を含むユーザーに関する情報を登録したユーザー情報データベースと、
ウェブサイトにアクセスして画面データを収集するアグリゲーション手段と、
前記アグリゲーション手段が取得した画面データからテキストデータを取り出すスクリーンスクレーパーと、
前記アグリゲーション手段に芸能関連ウェブサイトの画面データを収集させ、前記スクリーンスクレーパーに前記画面データからテキストデータを取り出させ、前記スクリーンスクレーパーが取り出したテキストデータの単語と一致する単語を前記リクエスト情報に含むユーザーを前記ユーザー情報データベースから検索し、当該ユーザーに前記画面データまたはその画面データを編集したデータまたはテキストデータからなる芸能関連コンテンツを送信させるセンターサーバー制御手段と、
を有していることを特徴とする芸能関連情報提供システム。
【請求項２】
計時するクロック手段と、
芸能関連情報の種類に応じてイベント前の通知すべきタイミングあるいは通知方法を登録した通知タイミングテーブルを有し、前記通知タイミングテーブルを参照して芸能関連情報の種類に応じてユーザーに送信すべきタイミングを決定する通知タイミング決定手段とを有し、
前記センターサーバー制御手段は、前記通知タイミング決定手段が決定した通知タイミングで前記芸能関連コンテンツまたはアラートを送信させる、ことを特徴とする請求項１に記載の芸能関連情報提供システム。
【請求項３】
前記スクリーンスクレーパーが取り出したテキストデータに属性情報を付してデータベースに記憶させるデータベース化手段と、
前記データベース化手段が出力したデータを記憶管理する芸能関連情報データベースと、を有することを特徴とする請求項１に記載の芸能関連情報提供システム。
【請求項４】
前記アグリゲーション手段と協働してポータルサイトにアクセスし、前記ユーザー情報データベースに記憶されたリクエスト情報を用いて前記ポータルサイトの検索エンジンを使用して検索するエミュレーターを有することを特徴とする請求項１に記載の芸能関連情報提供システム。
【請求項５】
ウェブサーバーあるいはワイヤレスサーバーを有し、
コンピューターあるいはＰＤＡあるいは携帯電話用に芸能関連コンテンツを編集するプレゼンターを有し、
前記センターサーバー制御手段は、ユーザー情報データベースからユーザーが有している情報処理装置の情報を取得し、前記プレゼンターにユーザーが有している情報処理装置用の芸能関連コンテンツを編集させ、前記ウェブサーバーあるいは前記ワイヤレスサーバーに送信させることを特徴とする請求項１に記載の芸能関連情報提供システム。
【発明の詳細な説明】
【０００１】
【発明の属する技術分野】
本発明は、ユーザーがアーティストや芸能人など芸能関係で興味を持っている所定の対象を登録させ、ユーザーに代わってその興味の対象についてインターネット上のウェブサイトを検索し、ユーザーにその興味の対象に関連する情報（芸能関連情報）を提供する芸能関連情報提供システムに関する。特に、本発明は、前記芸能関連情報を芸能関連情報の種類に応じて適当なタイミングでユーザーにアラートメールを送信することができる芸能関連情報提供システムに関する。
【０００２】
【従来の技術】
現在、インターネット上にはテレビ番組、芸能ニュース等芸能に関する情報を提供するウェブサイトが多数存在している。また、チケット、ＣＤ／ＤＶＤ、書籍などの販売や予約など、芸能に関連してビジネスを行うウェブサイトも多数存在している。
【０００３】
一方、芸能関連の情報をインターネットで検索するユーザーは多数存在している。
【０００４】
従来は、ウェブサイトが提供するサービスを特化しているので、ユーザーは自らが興味を持っている対象について、多数のウェブサイトにアクセスし、それらのウェブサイトから欲しい情報を収集していた。たとえば、ユーザーが所定の芸能人が出演しているテレビ番組を視聴し、その芸能人のコンサートにも行きたいという場合には、ユーザーはテレビ番組の情報を提供するウェブサイトにアクセスしてその芸能人が出演する番組を調べ、一方、コンサートチケットを予約できる他のウェブサイトにアクセスし、そのウェブサイトを通じて欲しいコンサートチケットを入手するようにしていた。
【０００５】
また、従来から、ユーザーに登録させ、所定のタイミングで当該ユーザーに情報を送信するウェブサイトがあった。かかるウェブサイトは通常は同一の情報を登録ユーザー全員に送信するようにしていた。
【０００６】
さらにまた、従来から、ユーザーが欲しい情報をユーザー自らが組み込んだレイアウトのウェブページを定義させ、ユーザーが当該ウェブサイトにアクセスしたときは、その定義したウェブページに最新の情報を表示させるウェブサイトも存在していた。
【０００７】
（先行技術文献情報）
本願発明は、芸能に関する多種多様なウェブサイトから、ユーザーが興味を持っている対象（芸能人・アーティスト等）に関連する情報をユーザーに代わって収集し、適当なタイミングでユーザーに自動的に提供しようという新規な発想に基づくものであるので、先行する文献は出願人が知る限り存在しない。
【０００８】
【発明が解決しようとする課題】
しかし、上述した従来の所定のタイミングでユーザーに情報を送信するウェブサイトは、ユーザーが欲しくない情報までがユーザーに送信されていた。このため、無駄な情報をユーザーが削除するだけになることが多かった。
【０００９】
また、従来のウェブサイトは、そのウェブサイトが特化して提供する特定種類の情報のみを送信するのが一般的であるので、ユーザーが興味をもっている対象についての幅広い情報を提供することができなかった。この場合に、一つのウェブサイトで幅広い芸能関連の情報をすべて網羅することは現実的ではなく、不可能に近かった。
【００１０】
一方、ユーザーがアクセスした際にユーザーが定義したレイアウトのウェブページに最新の情報を表示するようにした従来の技術は、ユーザーがアクセスした時の最新の情報を表示することができるものの、ユーザーがアクセスしなければ、最新の情報がユーザーに届かず、ユーザーが欲しい情報を最新の状態で得ることはできなかった。
【００１１】
また、このようなユーザー定義のウェブページを提供するウェブサイトにおいても、ユーザーに提供することがてきる情報の種類が限られているので、ユーザーが興味をもっている対象に関するすべての芸能情報を提供することはできなかった。
【００１２】
またもう一つの問題として従来のウェブサイトによると、ユーザーが情報を入手した後は、その情報に基づいて忘れずに行動するか否かはユーザーの管理に任されていた。
【００１３】
たとえば、ユーザーがテレビ番組の情報を提供するウェブサイトにアクセスし、興味を持っているアーティストが出演するテレビ番組を知ったとしても、放映される時間に視聴するか否かはユーザーの管理に任されていた。往々にして、テレビ番組は、事前にユーザーにその放映時間が知られたとしても、実際に放映される時間にはユーザーに忘れられ、視聴される機会を失うことが多かった。
【００１４】
テレビ番組に限らず、チケットやＣＤ／ＤＶＤや書籍の発売についても同様のことが言える。
【００１５】
このように、従来は特定の芸能人やアーティストの芸能活動に関する情報が多数のウェブサイトに散在していた。そのため、それらの散在するウェブサイトからユーザーが興味を有する特定の対象に関する情報をとりまとめて提供することができれば、活用効率の高い情報を提供することができる。
【００１６】
また、情報が提供されるのが実際のイベントのかなり前であることが多いので、情報を入手したユーザーに対して実際にイベントが行われる前の適当なタイミングで再度ユーザーに通知できれば、利用効率の高い情報を提供することができる。
【００１７】
そこで、本発明が解決しようとする課題は、芸能に関する情報を提供するインターネット上の多数のウェブサイトからユーザーが興味を有する芸能人やアーティストに関する情報を取得してユーザーに送信し、必要に応じて適当なタイミングでユーザーに再度通知する芸能関連情報提供システムを提供することにある。
【００１８】
【課題を解決するための手段】
本発明による芸能関連情報提供システムは、
ユーザーにリクエスト情報を登録させる登録手段と、
ユーザーのリクエスト情報を含むユーザーに関する情報を登録したユーザー情報データベースと、
ウェブサイトにアクセスして画面データを収集するアグリゲーション手段と、
前記アグリゲーション手段が取得した画面データからテキストデータを取り出すスクリーンスクレーパーと、
前記アグリゲーション手段に芸能関連ウェブサイトの画面データを収集させ、前記スクリーンスクレーパーに前記画面データからテキストデータを取り出させ、前記スクリーンスクレーパーが取り出したテキストデータの単語と一致する単語を前記リクエスト情報に含むユーザーを前記ユーザー情報データベースから検索し、当該ユーザーに前記画面データまたはその画面データを編集したデータまたはテキストデータからなる芸能関連コンテンツを送信させるセンターサーバー制御手段と、
を有していることを特徴とするものである。
【００１９】
本発明によれば、センターサーバー制御手段がアグリゲーション手段に芸能関連ウェブサイトの画面データを収集させ、スクリーンスクレーパーに取得した画面データからテキストデータを取り出させ、前記テキストデータの単語と一致する単語をリクエスト情報に含むユーザーをユーザー情報データベースから検索し、当該ユーザーに芸能関連コンテンツを送信させることができる。
【００２０】
本発明の芸能関連情報提供システムは、
計時するクロック手段と、
芸能関連情報の種類に応じてイベント前の通知すべきタイミングあるいは通知方法を登録した通知タイミングテーブルを有し、前記通知タイミングテーブルを参照して芸能関連情報の種類に応じてユーザーに送信すべきタイミングを決定する通知タイミング決定手段とを有し、
前記センターサーバー制御手段は、前記通知タイミング決定手段が決定した通知タイミングで前記芸能関連コンテンツまたはアラートを送信させる、ようにすることができる。
【００２１】
本発明によれば、通知タイミング決定手段が決定した通知タイミングで芸能関連コンテンツまたはアラートを送信することができる。
【００２２】
また、本発明の芸能関連情報提供システムは、
前記スクリーンスクレーパーが取り出したテキストデータに属性情報を付してデータベースに記憶させるデータベース化手段と、
前記データベース化手段が出力したデータを記憶管理する芸能関連情報データベースと、を有することができる。
【００２３】
本発明によれば、芸能関連情報データベースによってデータベース化手段が出力したデータを記憶管理することができるので、特定の芸能人等に関する情報に関するユーザーの問合せに対して応答することができる。
【００２４】
本発明の芸能関連情報提供システムは、
前記アグリゲーション手段と協働してポータルサイトにアクセスし、前記ユーザー情報データベースに記憶されたリクエスト情報を用いて前記ポータルサイトの検索エンジンを使用して検索するエミュレーターを有することができる。
【００２５】
本発明によれば、他のポータルサイトを検索することにより効率よく芸能関連情報を収集することができる。
【００２６】
本発明の芸能関連情報提供システムは、
ウェブサーバーあるいはワイヤレスサーバーを有し、
コンピューターあるいはＰＤＡあるいは携帯電話用に芸能関連コンテンツを編集するプレゼンターを有し、
前記センターサーバー制御手段は、ユーザー情報データベースからユーザーが有している情報処理装置の情報を取得し、前記プレゼンターにユーザーが有している情報処理装置用の芸能関連コンテンツを編集させ、前記ウェブサーバーあるいは前記ワイヤレスサーバーに送信させることができる。
【００２７】
本発明によれば、ユーザーが所有している情報処理装置の種類に応じて芸能関連コンテンツを送信することができる。
【００２８】
【発明の実施の形態】
次に本発明の実施の形態について説明する。
【００２９】
図１は本発明の一実施形態による芸能関連情報提供システムの構成とその処理の流れを示している。
【００３０】
図１に示すように、本実施形態による芸能関連情報提供システム１は通信網、好ましくはインターネットを介してユーザー情報処理装置２と、芸能関連ウェブサイト３とに接続されている。
【００３１】
ユーザー情報処理装置２は、ユーザーが所有する情報処理装置を意味し、情報を処理することができる装置であればよく、コンピューター、ＰＤＡ、携帯電話等は類別によらずに含まれるものとする。
【００３２】
芸能関連ウェブサイト３は、芸能関連情報を提供する多数のウェブサイトである。芸能関連ウェブサイト３は他の者が提供するものであって、インターネット上に現存するものである。図１のウェブサイト３ではＴＶ番組の情報を提供するウェブサイト、芸能ニュースの情報を提供するウェブサイト、オークション情報を提供するウェブサイト、チケットに関する情報を提供しあるいはチケットの予約・販売を行うウェブサイト、ＣＤ／ＤＶＤに関する発売情報を提供しあるいはＣＤ／ＤＶＤの予約・販売を行うウェブサイト、書籍に関する発売情報を提供しあるいは書籍の予約・販売を行うウェブサイトを示している。
【００３３】
本明細書において「芸能関連情報」なる用語は、いわゆる芸能活動、ショービジネスに関連するあらゆる種類の情報を含む意味で使用している。したがって、芸能関連情報を提供ウェブサイトは上述した種類の芸能関連ウェブサイトに限られるものではない。また、図１では各種類の芸能関連ウェブサイトについて一つのみを示しているが、通常は１種類の芸能関連ウェブサイトは複数のウェブサイトを含んでいる。図１では図面を簡明にするために各種類の芸能関連ウェブサイトについて一つのみを示したものである。
【００３４】
芸能関連情報提供システム１は、センターサーバー制御手段４と、登録手段５と、通知タイミング決定手段６と、クロック手段７と、エミュレーター８と、アグリゲーション手段９と、スクリーンスクレーパー１０と、データベース化手段１１と、プレゼンター１２と、ウェブサーバー１３と、ワイヤレスサーバー１４と、ユーザー情報データベース１５と、通知タイミングテーブル１６と、芸能関連情報データベース１７とを有している。
【００３５】
以上が芸能関連情報提供システム１の構成であるが、次に上記各構成について個別に説明する。
【００３６】
センターサーバー制御手段４は、芸能関連情報提供システム１の機能を統合し、芸能関連情報提供システム１として種々の処理を実行することができるように制御する手段である。センターサーバー制御手段４は、好ましくは他のオブジェトに対してリクエストを送信し、各オブジェクトの処理結果を受信して一連の処理をすすめることができるオブジェクトである。なお、センターサーバー制御手段４は、独立したコンピューターでもよく、ソフトウェアによって規定される理論上のモジュールあるいはオブジェクトでもよい。
【００３７】
登録手段５は、ユーザーにリクエスト情報を登録させる手段である。「リクエスト情報」とは、ユーザーが要求する情報であって、たとえばユーザーが特定の芸能人、アーティストに興味をもっている場合にその芸能人、アーティストに関連する情報をリクエストした場合の当該情報である。リクエスト情報はユーザー情報データベース１５によって記憶および管理される。
【００３８】
なお、ユーザー情報データベース１５は、上記リクエスト情報のみならず、ユーザーに関する他の情報も登録される。たとえば、ユーザー情報データベース１５はユーザーのメールアドレス、ユーザーの情報処理装置の種類（コンピューター、ＰＤＡ、携帯電話）等、ユーザーへの通知に関連する情報を登録される。むろん、システム設計に応じてユーザーの収入や興味を持っている商品分野等の情報を登録させることもできる。
【００３９】
通知タイミング決定手段６は、芸能関連情報の種類に応じてイベント前の通知すべきタイミングあるいは通知方法を登録した通知タイミングテーブル１６を参照し、芸能関連情報の種類に応じてユーザーに送信すべきタイミングを決定する手段である。
【００４０】
ここで、通知タイミングテーブル１６が「芸能関連情報の種類に応じてイベント前の通知すべきタイミングあるいは通知方法」を登録しているのは、たとえば、ＴＶ番組の情報については実際に放映される直前に通知するのが効果的であり、一方、コンサートチケットやＣＤ／ＤＶＤ等は発売日の前日以前に通知するのが効果的というように、芸能関連情報の種類に応じてユーザーに効果的に通知すべきタイミングが異なるからである。また、最新の情報のみを通知すればよいものと、最新の情報を通知した後に、イベントの前日さらに直前に通知するというように複数回の通知を行った方が効果的なものもある。このような事情の下、通知タイミングテーブル１６には情報の種類に応じて通知方法も登録しておくのが好ましい。
【００４１】
通知タイミング決定手段６は、通知すべき芸能関連情報の種類を特定し、上述した通知タイミングテーブル１６を参照することにより、通知タイミングテーブル１６に定める通知タイミングのルールと方法を取得し、それらのルールや方法に基づいて具体的な情報の通知のタイミングを決定するのである。
【００４２】
クロック手段７は、計時する手段である。センターサーバー制御手段４はユーザーに芸能関連情報を通知し、さらにクロック手段７の計時に基づいて、必要に応じて再度通知する。
【００４３】
アグリゲーション手段９は芸能関連ウェブサイト３にアクセスして画面データを収集する手段である。アグリゲーション手段９は、一つの情報に関して複数の芸能関連ウェブサイト３にアクセスして異なる種類の画面データを収集することができる。アグリゲーション手段９は、アクセスすべき芸能関連ウェブサイト３や取得すべき画面データの在処（ＵＲＬ）を規定したテーブルを有し（図示せず）、それらの情報（アクセス先の情報）に基づいて、自律的に当該芸能関連ウェブサイト３と接続のプロトコルを確立し、当該画面データを取得することができる。
【００４４】
エミュレーター８は、アグリゲーション手段９と協働してポータルサイトにアクセスし、ユーザー情報データベース１５に記憶されたリクエスト情報を用いてポータルサイトの検索エンジンを使用して検索する手段である。
【００４５】
エミュレーター８は、ユーザーに成り代わってあたかもユーザーがアクセスするようにウェブサイトにアクセスする機能を有する。具体的には、エミュレーター８は定められた入力シーケンスと入力データを予め登録されたデータを有し、ポータルサイトにアクセスし、検索エンジンを使用して検索するための必要な情報を入力し、必要な情報を入手することができる。
【００４６】
スクリーンスクレーパー１０は、アグリゲーション手段９が取得した画面データからテキストデータを取り出す手段である。
【００４７】
通常、芸能関連ウェブサイト３から取得した画面データ（表示画面、ウェブページ）は画像などデータ処理には不向きなデータを含む。スクリーンスクレーパー１０は、芸能関連ウェブサイト３からダウンロードした画面データから画像データを取り除き、データ処理に適したテキストデータのみを取り出すことができるものである。
【００４８】
スクリーンスクレーパー１０は、内部に定義ファイルを有し、定義ファイルには如何なるＵＲＬの如何なるウェブ画面から如何なる部分のテキストデータを何の情報として取り出すかについて予め定義されている。この定義ファイルの定義により、スクリーンスクレーパー１０はウェブ画面から任意の情報をテキストデータとして取り出すことができるようになっている。
【００４９】
データベース化手段１１は、スクリーンスクレーパー１０が取得したテキストデータに属性情報を付してデータベースに記憶させる手段である。芸能関連情報データベース１７は上記データベース化手段１１が出力したデータを記憶管理するデータベースである。
【００５０】
データベース化手段１１は、スクリーンスクレーパー１０が芸能関連ウェブサイト３のウェブ画面から取り出したテキストデータに対して、後に検索することができるように、必要な属性情報を付して芸能関連情報データベース１７に記憶させる。ここで「属性情報」とは、データの具体的な数値や内容を括る概念をいい、いわゆる「データ項目」である。データは前述の属性情報とレコード名から特定され、検索あるいは更新等されることができる。
【００５１】
プレゼンター１２は、コンピューターあるいはＰＤＡあるいは携帯電話用に芸能関連コンテンツを編集・作成する手段である。
【００５２】
コンピューターあるいはＰＤＡあるいは携帯電話はそれぞれ異なる機能と表示能力を有している。プレゼンター１２はユーザーが所有する情報処理装置の種類に応じてコンピューターあるいはＰＤＡあるいは携帯電話用の芸能関連コンテンツを編集する。
【００５３】
プレゼンター１２はコンピューターあるいはＰＤＡあるいは携帯電話用の芸能関連コンテンツを作成すると、ユーザーが所有する情報処理装置の種類に応じて当該芸能関連コンテンツをウェブサーバー１３あるいはワイヤレスサーバー１４に送信させる。ここで、ウェブサーバー１３はウェブ画面を通じてコンピューターと通信する手段であり、ワイヤレスサーバー１４は、ウェブ画面またはテキストデータの電子メールを通じてＰＤＡや携帯電話と通信する手段である。
【００５４】
なお、ウェブサーバー１３やワイヤレスサーバー１４の代わりに電子メールによってユーザーに芸能関連情報を送信することもむろん可能である。
【００５５】
以上が本芸能関連情報提供システム１の各構成要素の個別の説明であったが、次に上記構成要素による芸能関連情報提供システム１の処理について以下に説明する。
【００５６】
最初にユーザーがユーザー情報処理装置２を用いて芸能関連情報提供システム１にアクセスすると、センターサーバー制御手段４は登録手段５を通してユーザーに自らが興味を有している対象（芸能人、アーティスト）を登録させる。登録した対象に関する情報はユーザーのリクエスト情報としてユーザー情報データベース１５に記憶される。このとき、併せてユーザーのメールアドレスなど通信先の情報も関係付けられて登録される。
【００５７】
このようにユーザーのリクエスト情報と通信先の情報が登録されると、センターサーバー制御手段４は、アグリゲーション手段９に芸能関連ウェブサイト３にアクセスさせ、芸能関連ウェブサイト３から画面データを取得させる。このとき、センターサーバー制御手段４はエミュレーター８を用いて、ポータルサイトから芸能関連情報を取得するようにしてもよい。
【００５８】
次に、センターサーバー制御手段４はスクリーンスクレーパー１０にアグリゲーション手段９が取得したウェブ画面（画面データ）からテキストデータを取り出させる。
【００５９】
スクリーンスクレーパー１０がテキストデータを取り出すと、センターサーバー制御手段４はそのテキストデータに含まれる単語を用いてユーザー情報データベース１５を検索し、あるいは逆にユーザー情報データベース１５に登録されている単語（ユーザーが興味の対象として登録した単語）を用いてスクリーンスクレーパー１０が取り出したテキストデータ中に一致するものがあるか否かをチェックする。その結果、その単語をリクエスト情報に含むユーザーに、芸能関連ウェブサイト３から取得した画面データ、あるいは、その画面データを編集したもの、あるいは、テキストデータからなる芸能関連コンテンツをユーザーに送信する。
【００６０】
なお、スクリーンスクレーパー１０が取り出したテキストデータに含まれる単語を用いてユーザー情報データベース１５を検索することにより、あるいは、ユーザー情報データベース１５に登録されている単語を用いてスクリーンスクレーパー１０が取り出したテキストデータを検索することにより、当該芸能関連情報をリクエストしているユーザー全員に当該芸能関連コンテンツが一度に送信され、一方、当該芸能関連情報をリクエストしていないユーザーには送信されない。
【００６１】
芸能関連コンテンツを送信する際は、センターサーバー制御手段４は、ユーザー情報データベース１５からユーザーが所有している情報処理装置の種類の情報を取得し、プレゼンター１２にコンピューター用、あるいはＰＤＡ用、あるいは携帯電話用の芸能関連コンテンツを作成させ、情報処理装置の種類に応じてウェブサーバー１３あるいはワイヤレスサーバー１４を介してユーザー情報処理装置２に送信する。
【００６２】
以上の処理によってユーザー情報処理装置２には最新の芸能関連情報が送信されるが、本芸能関連情報提供システム１においては必要に応じてさらなる通知、すなわち、アラートを送信することができる。
【００６３】
アラートを送信するために、センターサーバー制御手段４は通知タイミング決定手段６にアラートを送信するタイミングを決定させる。
【００６４】
かかる指令を受け取った通知タイミング決定手段６は、通知タイミングテーブル１６を参照し、情報の種類に応じて通知タイミングテーブル１６に定められた通知タイミングのルールや通知方法に基づいて、具体的通知タイミングを決定してセンターサーバー制御手段４に返す。
【００６５】
センターサーバー制御手段４は、各ユーザーについてアラートを送信するテーブルを内蔵しており、クロック手段７の計時に基づいて、通知すべきタイミングでユーザーにアラートを送信する。
【００６６】
通知のタイミングは前述したように、テレビ番組に関する情報は直前に通知し、チケットやＣＤ／ＤＶＤ等は発売日の直前に送信するようにするのが好ましい。
【００６７】
なお、上述したように、アグリゲーション手段９によってその都度取得する他に、データベース化手段１１によってアグリゲーション手段９が取得した芸能関連情報を芸能関連情報データベース１７に一時的に記憶させることができる。芸能関連情報を芸能関連情報データベース１７を一時的に記憶させることにより、ユーザーの問合せに対して芸能関連情報提供システム１から応答することができるようになり、ユーザーから所定の芸能関連情報について問合せがあった場合には、センターサーバー制御手段４が芸能関連情報データベース１７を検索して直接応答することができる。
【００６８】
【発明の効果】
以上の説明から明らかなように、本発明による芸能関連情報提供システムは、インターネット上の多数のウェブサイトに散在している芸能関連情報をアグリゲーション手段によって収集し、それを要求しているユーザーをユーザー情報データベースで検索し、必要なユーザーに必要な芸能関連情報を提供することができる。
【００６９】
これにより、一つのウェブサイトがすべての芸能関連情報を保有する必要が無く、現状のウェブサイトの構成を用いて必要なユーザーに必要な情報を送信することができる。
【００７０】
また、本発明の芸能関連情報提供システムは、通知タイミング決定手段と通知タイミングテーブルによって、実際のイベント前にアラートを送信することができる。
【００７１】
これにより、従来のユーザーに情報が届いたにもかかわらず、忘れられて利用されないことを防止することができる。したがって、情報の利用効率を大幅に改善することができる。
【図面の簡単な説明】
【図１】本発明の一実施形態による芸能関連情報提供システムの構成と処理の流れを示したブロック図。
【符号の説明】
１  芸能関連情報提供システム
２  ユーザー情報処理装置
３  芸能関連ウェブサイト
４  センターサーバー制御手段
５  登録手段
６  通知タイミング決定手段
７  クロック手段
８  エミュレーター
９  アグリゲーション手段
１０  スクリーンスクレーパー
１１  データベース化手段
１２  プレゼンター
１３  ウェブサーバー
１４  ワイヤレスサーバー
１５  ユーザー情報データベース
１６  通知タイミングテーブル
１７  芸能関連情報データベース
【図１】
2004326231.tif 000003